(57)【特許請求の範囲】
【請求項１】
光路を形成する撮像レンズと、前記撮像レンズを透過した光の受光部と、前記撮像レンズと並列して配置される発光部と、前記撮像レンズの前方に配置され、前記撮像レンズと前記発光部との間を分ける遮光部材を有する保護窓と、前記撮像レンズの側面後方に配置されたファンと、前記ファンから発生する気流を規制するダクトを有し、前記遮光部材は、前記発光部から照射される光を前記受光部に入射しないように遮断するとともに、前記ファンから送風される気流の風路を形成することを特徴とする撮像装置。
【請求項２】
前記撮像レンズを保持し、少なくとも１つ以上の開口部を具備するレンズフレームを有し、前記ファンから送風される気流は、前記遮光部材によって形成される風路と、受光部を冷却するための風路とからなることを特徴とする、請求項１に記載の撮像装置。
【請求項３】
前記ファンから前記保護窓までに形成される風路の途中にヒータが設けられ、前記ファンは前記ヒータで暖められた空気を前記撮像レンズの前方もしくは前記保護窓に送風することを特徴とする、請求項１または２のいずれか１項に記載の撮像装置。
【発明の詳細な説明】
【技術分野】
【０００１】
本発明は、撮像レンズと受光センサを搭載する撮像装置に関するものである。
【背景技術】
【０００２】
近年、監視を目的としたネットワークカメラの需要は急速に伸びている。特に、屋外に設置されるネットワークカメラは、風雨に晒されるため、防水性を保証する必要があり、製品自体を密閉構造にする必要がある。しかしながら、密閉構造を採用すると、内部の空気循環の効率が低下するため、撮像レンズや、それを保護する保護窓が結露する、といった課題がある。また、空気循環の効率の低下は、受光センサから発せられる熱が製品内部に留まり、素子の故障につながる、といった懸念がある。
【０００３】
特許文献１は、受光センサから発生する熱を放熱するための放熱フィンと、フィンに送風するファンと、フィンとファンの間に複数の開口部を有する仕切り板を具備し、撮像装置本体の冷却と、レンズ部の結露防止を兼ねるものである。具体的には、送風ファン、仕切り板、放熱フィン、受光センサ、撮像レンズが一列に並び、送風ファンの風が効率的に受光センサと撮像レンズの前方に送られるような構成となっている。
【先行技術文献】
【特許文献】
【０００４】
【特許文献１】特開２０１０−４１０８５
【発明の概要】
【発明が解決しようとする課題】
【０００５】
ところで、近年の監視カメラは夜間等の暗環境での使用を鑑み、撮像部と並行して、赤外ＬＥＤに代表される赤外発光部を搭載したものがある。赤外発光部を搭載した撮像装置は、赤外光が撮像部に写り込む事を防止するため、赤外発光部と撮像部の間に、遮光部材を配置することが必須となる。そのため、撮像レンズ前方は、保護窓と遮光部材で仕切られた狭い空間となり、撮像レンズ、及び撮像レンズ前方に配置された保護窓への送風が十分に行えず、結露発生の可能性がある、といった課題が発生する。
【課題を解決するための手段】
【０００６】
本発明の撮像装置は、光路を形成する撮像レンズと、前記撮像レンズを透過した光の受光部と、前記撮像レンズと並列して配置される発光部と、前記撮像レンズの前方に配置され、前記撮像レンズと前記発光部との間を分ける遮光部材を有する保護窓と、前記撮像レンズの側面後方に配置されたファンと、前記ファンから発生する気流を規制するダクトを有し、前記遮光部材は、前記発光部から照射される光を前記受光部に入射しないように遮断するとともに、前記ファンから送風される気流の風路を形成することを特徴とする撮像装置を提案することである。
【発明の効果】
【０００７】
以上説明したように本発明によれば、ファンから発せられる風は、遮光部材に沿って、撮影レンズの画角の長辺方向に送風されるため、撮像域となる保護窓を効率的に結露除去出来る。また、ファンはレンズユニットの側面後方に配置されているため、装置自体の大型化を抑制する効果も期待できる。
【図面の簡単な説明】
【０００８】
【図１】第１の実施形態の撮像装置の概略斜視図
【図２】第１の実施形態の撮像装置の本体の分解斜視図
【図３】第１の実施形態の撮像装置のフロント部の分解斜視図
【図４】第１の実施形態の撮像装置のメイン部の分解斜視図
【図５】第１の実施形態の撮像装置のメインユニットの分解斜視図
【図６】第１の実施形態の撮像装置の本体の断面図
【図７】第２の実施形態の撮像装置の本体の断面図
【図８】第３の実施形態の撮像装置のメインユニットの分解斜視図
【図９】第３の実施形態の撮像装置の本体の断面図
【発明を実施するための形態】
【０００９】
以下、本発明を実施するための形態に関して説明する。
【００１０】
［第１の実施形態］
本発明の特徴とするところは、（１）装置本体は防水の為の密閉構造になっている事、（２）レンズの結露抑制の手段がある事である。従って、上記（１）、（２）の順に説明していき、発明の効果を説明する。
【００１１】
（１）防水の為の密閉構造の説明
図１は、本発明を適用した撮像装置の概略斜視図である。撮像装置１は、ボックス２と本体１０から構成される。図１（ｂ）に示すように、ボックス２の内部に本体１０が内包されており、矢印方向に引き出すことで、本体１０をボックス２から取り出す構成になっている。ボックス２は、本体１０を、外部からの飛来物や風雨、直射日光から保護する役目を担っている。
【００１２】
図２は、本体１０の分解斜視図である。本体１０は、フロント部２０とメイン部３０が不図示の螺子により締結されており、フロント部２０とメイン部３０の間にパッキン４０が配置されている。本構成により、フロント部２０とメイン部３０の間の防水性を保証している。
【００１３】
図３は、フロント部２０の分解斜視図である。フロントプレート２１には、発光部２２が取り付けられている。発光部２２はその照射方向と、レンズユニット５０に含まれる不図示の撮像レンズの光軸方向とが並列になるように配置される。発光部２２から発生する熱は、フロントプレート２１に伝達された後、フロントプレート２１から放熱される。保護窓２３は、撮像レンズの前方に配置され、撮像透過部２３ａと、発光部２２から発生する光の光路となる発光透過部２３ｂと、撮像透過部２３ａと発光透過部２３ｂとの間を分ける遮光部材２３ｃで構成される。保護窓２３の周囲にはパッキン２４が配置されており、フロントプレート２１とフロントケース２５を螺子締結する際、フロントプレート２１に押圧された保護窓２３がパッキン２４をフロントケース２５に押しつけることで、防水性を保証している。
【００１４】
図４は、メイン部３０の分解斜視図である。メインケース３１の上部には、開口部３１ａがあり、フィルタパッキン３３によって保持されたベントフィルタ３２の作用により、メイン部３０の内部と外部の空気の出入りを可能にしている。
【００１５】
メインケース３１の後部には、ケーブル３６を通す開口部３１ｂがある。開口部３１ｂには、パッキン３４がプレート３５によって押圧されており、メインケース３１後部の防水性を保証している。
【００１６】
メインケース３１の下部には、開口部３１ｃが配置されており、下カバー３８がパッキン３７を押圧することで、防水性を保証している。
【００１７】
以上説明したように、撮像装置１を構成する本体１０は、ベントフィルタ３２が配置された開口部を除いて、パッキンによる防水構造がとられている。
【００１８】
（２）結露抑制手段の説明
図５は、メイン部３０に内包されるメインユニットの分解斜視図である。メインフレーム５６の側面に、制御基板５５と、ダクト５４を具備するファン５３が配置される。ファン５３はレンズユニット５０の側面後方に配置される。ダクト５４は保護窓２３とファン５３の間に配置される。また、受光部である受光センサ５１および不図示の撮像レンズを具備するレンズユニット５０は、レンズフレーム５２に保持されている。メインフレーム５６がレンズフレーム５２を保持することで、各部を一体化する構成となる。
【００１９】
図６のうち、図６（ａ）が断面方向を示している。図６（ｂ）はその断面図であって、レンズユニット５０に含まれる撮像レンズの画角の長辺方向に平行な面で切った断面図である。実施形態の一例である本項では、ファン５３ａ、ファン５３ｂは図示Ｄ方向に送風する設定となっている。
【００２０】
このように構成することで、ファン５３ａから発生する気流は、ダクト５４ａを通って規制され、レンズユニット５０、保護窓２３、遮光部材２３ｃ（図６では不図示）で構成される風路を介して、ファン５３ｂの吸引によってダクト５４ｂから抜けていく。より具体的には、保護窓２３の前面とレンズユニット５０のレンズに挟まれた空間が、保護窓２３に設けられた遮光部材２３ｃによって分断されている。この際、レンズユニット５０の先端部及び保護窓２３の結露発生を抑制する。また、発光部２２から発光される光が撮像レンズを通して受光センサ５１に入射しないように、遮光部材２３ｃによってその光が遮断されている。
【００２１】
遮光部材２３ｃの形状であるが、図３のように中央寄りが凹んで風路が狭くなっていることにより、気流の流れをより速くする効果がある。この形状はこれに限らず円弧状でも良く、分断されていれば構わない。
【００２２】
また、本発明の直接的な効果ではないが、図６に示すように、ファンを光軸方向に対して傾けて配置することで、装置の大型化を抑制する、といった効果も期待できる。
【００２３】
［第２の実施形態］
第２の実施形態では、本発明を適用した、別の形態を用いて説明する。尚、基本構成は、第１の実施形態で説明した図１から図５と同様であるため、ここでの説明を割愛し、第１の実施形態と異なる部分のみを説明する。
【００２４】
図７は、本体１０の内部にあるレンズユニット５０に含まれる撮像レンズの画角の長辺方向に平行な面で切った断面図である。第１の実施形態との相違は、レンズフレーム５２０には、開口部５２０ａと開口部５２０ｂが配置されている。開口部５２０ａは、ファン５３ａの下流に配置されており、ファン５３ａから発生する気流が、受光センサ５１を通るように形成されている。また、開口部５２０ｂは、受光センサ５１を冷却した空気が、ファン５３ｂによって引き込まれるように形成されている。
【００２５】
以上説明したように、第２の実施形態では、レンズユニット５０の先端及び保護窓２３の結露発生を抑制すると同時に、受光センサ５１の昇温抑制効果も得ることができる。
【００２６】
［第３の実施形態］
第３の実施形態では、本発明を適用した、別の形態を用いて説明する。尚、基本構成は、第１の実施形態で説明した図１から図４と同様であるため、ここでの説明を割愛し、第１の実施形態と異なる部分のみを説明する。
【００２７】
図８は、メインユニット４５の分解斜視図である。第１の実施形態との相違は、レンズフレーム５２の側面に、ヒータ５７を具備する事である。ヒータ５７は、ファン５３ａもしくはファン５３ｂから保護窓２３までに形成される風路の途中に設けられる。尚、図中には表示されていないが、ヒータ５７は両側面に配置されているものとする。
【００２８】
図９は、本体１０の内部にあるレンズユニット５０に含まれる撮像レンズの画角の長辺方向に平行な面で切った断面図である。第１の実施形態との相違は、ファン５３ｂの送風方向が、第１の実施形態のそれとは反対になっていることである。急激に気温が下がる夜間には、本体内部と外気の差が大きくなり、レンズユニット５０の先端や保護窓２３は、日中より結露しやすくなる。そこで、ヒータ５７を稼働させ、ファン５３ａ及びファン５３ｂを稼働することで、レンズユニット５０の先端や保護窓２３に温かい空気を送り込み、結露抑制や凍結抑制を実現する、といった効果が期待できる。
【符号の説明】
【００２９】
１  撮像装置
２  ボックス
１０  本体
２０  フロント部
２１  フロントプレート
２２  発光部
２３  保護窓
２３ａ  撮像透過部
２３ｂ  発光透過部
２３ｃ  遮光部材
２４  パッキン
２５  フロントケース
３０  メイン部
３１  メインケース
３１ａ  開口部
３１ｂ  開口部
３１ｃ  開口部
３２  ベントフィルタ
３３  フィルタパッキン
３４  パッキン
３５  プレート
３６  ケーブル
３７  パッキン
３８  下カバー
４０  パッキン
５０  レンズユニット
５１  受光センサ
５２  レンズフレーム
５３  ファン
５４  ダクト
５５  制御基板
５６  メインフレーム
５７  ヒータ
５２０  レンズフレーム
５２０ａ  開口部
５２０ｂ  開口部
【図１】
0006391434.tif 000002
【図２】
0006391434.tif 000003
【図３】
0006391434.tif 000004
【図４】
0006391434.tif 000005
【図５】
0006391434.tif 000006
【図６】
0006391434.tif 000007
【図７】
0006391434.tif 000008
【図８】
0006391434.tif 000009
【図９】
0006391434.tif 000010